(57)【特許請求の範囲】
【請求項１】
アナログ通信の回線とIP（Internet Protocol)ネットワークとの間で前記アナログ通信回線の回線接続を制御する回線制御手段により通信制御して、通信データとして音声およびデータを統合的に扱うゲートウェイ装置において、該装置は、
該装置および接続される回線の障害の発生と回復を監視する障害監視手段と、
該装置に供給される通信データのルーティングおよび呼出しを制御し、前記監視の結果に応動して前記アナログ通信回線の使用禁止や禁止解除を指示制御する呼制御手段とを含み、
前記回線制御手段は、前記アナログ通信回線が使用禁止の回線に対して極性反転させる制御と、該使用が禁止された回線の前記禁止解除に応じて元に極性を戻す制御とを含み、
該装置は、供給される呼出し信号に応じて送出される一次応答を検出し、前記回線制御手段に通知し、
前記回線制御手段は、前記一次応答の検出に応じて前記呼出し信号の出力を停止させ、前記呼制御手段に前記一次応答の検出を通知し、
前記呼制御手段は、検出に応じて所定の時間待機させて、前記アナログ通信回線の使用禁止を判断し、判断結果の使用禁止の解除に応じて解除制御信号を前記回線制御手段に出力し、判断結果の使用禁止の継続に応じて前記極性の反転を継続させて、呼出し信号の送出指示から繰り返させる機能を有し、
前記回線制御手段は、前記解除制御信号の受信に応じて前記アナログ通信回線が極性反転中か否かに応じて制御し、該当するアナログ回線の極性をさらに反転させて、復極させることを特徴とするゲートウェイ装置。
【請求項２】
請求項１に記載の装置において、前記呼制御手段は、前記アナログ通信回線の使用禁止を判断する第１の判断機能ブロックと、
前記障害監視手段による障害復旧の検出にともなって前記使用禁止したアナログ通信回線の禁止解除を判断する第２の判断機能ブロックとを含み、
前記呼制御手段は、前記使用禁止に対応して前記回線制御手段に前記アナログ通信回線の極性を反転させる指示を行い、前記禁止解除に対応して前記回線制御手段に前記アナログ通信回線の極性を復極させる指示を行うことを特徴とするゲートウェイ装置。
【請求項３】
請求項１または２に記載の装置において、前記呼制御手段は、該装置の機能を確認する保守手段からの通知に応動して前記アナログ通信回線の使用禁止や禁止解除を制御することを特徴とするゲートウェイ装置。
【請求項４】
請求項１、２または３に記載の装置において、前記回線制御手段は、前記アナログ通信回線に対する交換接続を該回線の使用契約を行った加入者における電話番号情報を送出するサービスにおける所定の手順を設定し、制御することを特徴とするゲートウェイ装置。
【請求項５】
アナログ通信の回線とIP（Internet Protocol)ネットワークとの間に音声およびデータを統合的に通信データとして扱うゲートウェイ装置を配設し、前記アナログ通信回線の回線接続を制御して前記アナログ通信回線と前記IPネットワーク間で通信を行いながら、前記アナログ通信回線および前記ゲートウェイ装置内のいずれかでの障害を検出を行う第１の工程と、
前記障害を検出した際に該障害発生の通知に応じて該障害回線の使用を禁止するか否かを判断する第２の工程と、
前記障害回線の使用を禁止する場合、使用禁止する回線の極性を反転させる反転指示信号を出力する第３の工程と、
前記反転指示信号の出力に応じて極性を反転させる第４の工程と、
前記極性の反転を保ちながら、前記障害発生箇所の復旧を検出する第５の工程と、
前記障害の復旧を検出した際に該障害復旧の通知に応じて該障害回線の使用禁止を解除するか否かを判断する第６の工程と、
前記障害回線の使用禁止を解除する場合、使用禁止する回線の極性反転を復旧させる復極指示信号を出力する第７の工程と、
前記復極指示信号の出力に応じて極性を元に戻す第８の工程とを含み、
該方法は、第３の工程から第６の工程までの繰返し手順にて契約した回線の電話番号情報を送出するサービスにおける所定の手順を含み、該所定の手順の後に第６の工程を行い、
前記所定の手順は、前記極性反転指示信号に応じた前記回線制御による極性反転、接続する相手側装置に対する呼出しを行う呼出し信号の送出指示に応じた該呼出し信号の送出、該呼出し信号に対して出力される一次応答信号の検出に応動した前記呼出し信号の停止、前記一次応答信号検出の通知に応じた呼制御を順次行うことを特徴とするゲートウェイ装置の障害制御方法。
【発明の詳細な説明】
【０００１】
【発明の属する技術分野】
本発明は、たとえば、交換機やボタン電話機に接続する回線の障害発生を通知するゲートウェイ装置に関するものであり、また、本発明は、たとえば、交換機やボタン電話機に接続するゲートウェイ装置内や接続回線に生じた障害を通知し制御する障害制御方法に関するものである。
【０００２】
【従来の技術】
VoIP（Voice over Internet Protocol)技術とは、音声信号をディジタル化した音声データをパケット化し、音声系ネットワークとデータ系ネットワークを統合する技術である。この技術を用いて音声系ネットワークの情報をデータ系ネットワークに統合する装置を、一般にVoIPゲートウェイ（以下、VoIP-GW）と呼ぶ。
【０００３】
VoIP-GWは、通常、アナログ２線のインタフェースを介して一方の接続先であるVoIP回線に接続し、交換機やボタン電話機側と通信し、他方の接続先であるIPネットワークと接続し、安価な通信コストを実現している。また、交換機やボタン電話機は、このようなVoIP-GWとの接続関係だけでなく、公衆電話交換網（PSTN: Public Switched Telephone Network)にも接続されている。この接続は、VoIP-GWが使用できない場合や緊急時の予備回線として設けられている。回線使用の選択は、交換機やボタン電話機側で行われる。
【０００４】
【発明が解決しようとする課題】
ところで、VoIPネットワークに障害が発生したり、VoIP-GW内での障害発生等によりVoIP機能が使用不能に陥ることがある。このようなVoIP-GWを含むVoIP網が使用不可の場合、交換機やボタン電話機には使用不可が通知できない。これは、前述したようにVoIP回線がアナログ２線により接続されているからである。したがって、交換機やボタン電話機は、通常接続しているVoIP回線が使用不可になっても、使用不可が通知されないので、予備回線への迂回切換選択を行うことができない。このため、交換機やボタン電話機は、使えないVoIP回線を選択したままに音声サービスの提供ができなくなってしまう。
【０００５】
本発明はこのような従来技術の欠点を解消し、アナログ２線のVoIP回線のままに使用不可の回線をクライアント側に通知制御することができるゲートウェイ装置およびその障害制御方法を提供することを目的とする。
【０００６】
【課題を解決するための手段】
本発明は上述の課題を解決するために、アナログ通信の回線とIP（Internet Protocol)ネットワークとの間でアナログ通信回線の回線接続を制御する回線制御手段により通信制御して、通信データとして音声およびデータを統合的に扱うゲートウェイ装置において、この装置および接続される回線の障害の発生と回復を監視する障害監視手段と、この装置に供給される通信データのルーティングおよび呼出しを制御し、監視の結果に応動してアナログ通信回線の使用禁止や禁止解除を指示制御する呼制御手段とを含み、回線制御手段は、アナログ通信回線が使用禁止の回線に対して極性反転させる制御と、この使用が禁止された回線の禁止解除に応じて元に極性を戻す制御とを行うことを特徴とする。
【０００７】
本発明のゲートウェイ装置は、障害監視手段での監視結果を呼制御手段で受けて、呼制御手段でこの監視結果に応じてアナログ通信回線の使用禁止や禁止解除を回線制御手段に対して指示制御することにより、回線制御手段がアナログ通信回線の極性反転や復極を行う。特に、極性反転はアナログ通信回線を介して接続する相手装置側を着信待機状態にして、障害が発生したアナログ通信回線からの発信を閉塞状態にして規制することができる。
【０００８】
また、本発明は上述の課題を解決するために、アナログ通信の回線とIP（Internet Protocol)ネットワークとの間に音声およびデータを統合的に通信データとして扱うゲートウェイ装置を配設し、アナログ通信回線の回線接続を制御してアナログ通信回線と前記IPネットワーク間で通信を行いながら、アナログ通信回線および前記ゲートウェイ装置内のいずれかでの障害を検出を行う第１の工程と、障害を検出した際にこの障害発生の通知に応じてこの障害回線の使用を禁止するか否かを判断する第２の工程と、障害回線の使用を禁止する場合、使用禁止する回線の極性を反転させる反転指示信号を出力する第３の工程と、反転指示信号の出力に応じて極性を反転させる第４の工程と、極性の反転を保ちながら、障害発生箇所の復旧を検出する第５の工程と、障害の復旧を検出した際にこの障害復旧の通知に応じてこの障害回線の使用禁止を解除するか否かを判断する第６の工程と、障害回線の使用禁止を解除する場合、使用禁止する回線の極性反転を復旧させる復極指示信号を出力する第７の工程と、復極指示信号の出力に応じて極性を元に戻す第８の工程とを含むことを特徴とする。
【０００９】
本発明のゲートウェイ装置の障害制御方法は、障害検出した際に障害通知を受けて使用禁止の判断を行い、使用禁止に応動して極性の反転指示信号をアナログ通信回線に送出し、アナログ通信回線の端末装置側に着信があると判断させて、該当するアナログ回線を閉塞させて回線異常に対応し、障害復旧を検出した際に、禁止解除の判断を行い、禁止解除に応動して復極指示信号を出力することにより、異常を間接的に使用する側に通知することができる。
【００１０】
さらに、本発明は上述の課題を解決するために、アナログ通信の回線とIP（Internet Protocol)ネットワークとの間に音声およびデータを統合的に通信データとして扱うゲートウェイ装置を配設し、アナログ通信回線の回線接続を制御してアナログ通信回線とIPネットワーク間で通信を行いながら、アナログ通信回線およびゲートウェイ装置内のいずれかでの障害を検出を行う第１の工程と、障害を検出した際にこの障害発生の通知に応じてこの障害回線の使用を禁止するか否かを判断する第２の工程と、障害回線の使用を禁止する場合、使用禁止する回線の極性を反転させる反転指示信号を出力する第３の工程と、反転指示信号の出力に応じて極性を反転させる第４の工程とを含むことを特徴とする。
【００１１】
本発明のゲートウェイ装置の障害制御方法は、障害検出した際に障害通知を受けて使用禁止の判断を行い、使用禁止に応動して極性の反転指示信号をアナログ通信回線に送出し、アナログ通信回線の端末装置側に着信があると判断させて、該当するアナログ回線を閉塞させて回線異常に対応することにより、異常を間接的に使用する側に通知することができる。
【００１２】
【発明の実施の形態】
次に添付図面を参照して本発明によるゲートウェイ装置の実施例を詳細に説明する。
【００１３】
本実施例は、本発明のゲートウェイ装置をVoIPゲートウェイ（以下、VoIP-GWという)装置10に適用した場合である。本発明と直接関係のない部分について図示および説明を省略する。以下の説明で、信号はその現れる接続線の参照番号で指示する。
【００１４】
VoIP-GW装置10には、図１に示すように、回線制御部12、障害監視部14、呼制御部16および保守部18が含まれている。回線制御部12は、呼制御部16の制御に応じてアナログ通信回線20a, 20b, 20c, ・・・, 20nに出力する信号レベル等を制御する回路を有している。この信号レベルは、回線制御部12のアナログインタフェース部120で制御に応じて切換えが行われている。ここで、アナログ通信回線20a, 20b, 20c, ・・・, 20nは、VoIP回線として１回線あたり２線を使用している。アナログ通信回線20a, 20b, 20c, ・・・, 20nを以下で、VoIP回線という。
【００１５】
障害監視部14は、VoIP-GW装置10とともに、接続するVoIP回線20a, 20b, 20c, ・・・, 20nおよびIPネットワーク100の障害発生と障害回復を監視する機能を有している。障害監視部14は、監視結果を呼制御部16に供給している。
【００１６】
呼制御部16は、図２に示すように、使用禁止判断機能部160および禁止解除判断機能部162を備えている。使用禁止判断機能部160には、障害監視部14からの監視結果である障害監視信号14aと保守部18からコマンド18aが供給されている。また、禁止解除判断機能部162にも障害監視信号14aとコマンド18aが供給されている。なお、障害監視信号14aとコマンド18aは、少なくとも一方の信号が使用禁止判断機能部160および禁止解除判断機能部162にそれぞれ供給されていればよい。
【００１７】
使用禁止判断機能部160は、供給された通知内容から障害発生対象のVoIP回線の使用を禁止するか否かの判断を行う機能を有している。使用禁止判断機能部160は、この判断結果に対応した禁止制御信号16aとして回線制御部12に出力する。禁止制御信号16aは、極性反転を指示する信号である。
【００１８】
禁止解除判断機能部162は、供給された通知内容から障害発生対象のVoIP回線の使用禁止を解除するか否かの判断を行う機能を有している。禁止解除判断機能部162は、この判断結果に対応した解除制御信号16bとして回線制御部12に出力する。解除制御信号16bは、反転させた極性を元の極性に戻す復極を指示する信号である。
【００１９】
図１に戻って、保守部18は、VoIP-GW装置10に対するメンテナンスを行う機能を有している。保守部18は、コマンドと呼ぶVoIP-GW装置10の操作指示を出力する。コマンドの一つに稼動状態表示コマンドがある。表示には、機器稼動および接続状態、疎通状態、ロック形（閉塞・解除）のコマンド表示ならびに異常状態等がある。この機能から明らかなように、保守部18は、監視機能を有して、障害監視部14の機能も備えている。保守部18は、監視結果を示す稼動状態信号18aを呼制御部16に供給している。
【００２０】
VoIP-GW装置10は、VoIP回線20a, 20b, 20c, ・・・, 20nを介して交換機30との通信を中継し、IPネットワーク100に接続する端末装置（図示せず）との通信を可能にして通信コストを低減させている。VoIP回線20a, 20b, 20c, ・・・, 20nの接続先は、交換機30に限定されるものでなく、たとえばボタン電話機等であってもよい。
【００２１】
このようにVoIP-GW装置10は、上述した各部と互いに連携して動作するように構成されている。
【００２２】
次にVoIP-GW装置10における監視制御の動作を図３を用いて説明する。VoIP−GW装置10は、電源投入後から障害監視を開始する。障害監視部14で障害検出（障害復旧）の有無を探索する（ステップS10)。この探索で障害（障害復旧）が検出された場合（YES)、障害通知に進む（ステップS12へ）。また探索で障害（障害復旧）が検出されなかった場合（NO)、再び障害の検出に戻る（ステップS10へ)。
【００２３】
次に障害の発生を呼制御部16に通知する（ステップS12)。呼制御部14では、通知内容から障害発生したVoIP回線の使用を禁止するか否かを判断する（ステップS14)。このVoIP回線を使用禁止する場合（YES)、極性反転中か否かの判断に進む（ステップS16)。また、このVoIP回線の使用を許可する場合（NO)、極性反転中か否かの判断に進む（ステップS18)。
【００２４】
ステップS16で極性反転中にあるか否かを判断する。通常の回線状態における極性に対してすでに極性反転状態にある場合（YES)、この状態を継続し、障害検出に戻る（ステップS10へ）。また、まだ極性反転されていない場合（NO)、極性反転の指示に進む（ステップS20へ)。
【００２５】
次に呼制御部16で極性反転の指示制御を行う（ステップS20)。呼制御部16は、回線制御部12に禁止制御信号16aを出力する。そして、回線制御部12は、この指示制御を受けた段階でアナログインタフェース部120により対象のVoIP回線の極性を反転する（ステップS22)。この後、障害検出に戻る（ステップS10へ)。
【００２６】
ところで、ステップS14にて回線使用許可の判断（NO）が下された場合も極性反転中か否かの判断を行う（ステップS18)。極性反転中にある場合（YES)、障害が除かれたと判断してステップS24に進む。また、極性反転にない場合（NO)、本来、正常動作をしていたと判断し、そのままの極性で再び障害検出に戻る（ステップS10へ)。
【００２７】
次に呼制御部16では、極性復極の指示制御を行う（ステップS24)。呼制御部16は、回線制御部12に解除制御信号16bを出力する。そして、回線制御部12は、この指示制御を受けた段階でアナログインタフェース部120により障害対象のVoIP回線の極性を元の極性に戻す（ステップS26)。この後、障害検出に戻る（ステップS10へ)。
【００２８】
このようにVoIP-GW装置10は、監視制御を電源が切断されるまで繰り返す。また、前述したように呼制御部16は、障害監視部14からの通知だけでなく、保守部18からのメンテナンス用のコマンド制御等によって所望のVoIP回線を手動的に指示して閉塞させることができる。
【００２９】
次にVoIP-GW装置10と交換機30の制御シーケンスについて簡単に説明する（図４を参照）。VoIP-GW装置10は、電源投入後、障害監視部14で障害検出を開始する。または、図示しないが保守部18は、呼制御部およびインタフェース部を有して、障害の有無に関わらず、閉塞コマンドや閉塞解除コマンドのようなコマンド制御により明示的にVoIP回線を閉塞制御している。この後、障害が検出されると（時刻t10）、障害監視部14（／保守部18）が障害監視信号14aを呼制御部16に通知する（時刻t12）。
【００３０】
呼制御部16では、VoIP回線20a, 20b, 20c, ・・・, 20nにおける使用の可否を判断する。この判断結果が使用禁止のとき、使用禁止にするVoIP回線に対する禁止制御信号16aを回線制御部12に出力する（時刻t14）。回線制御部12が禁止制御信号16aを受けると、回線制御部12は、内部のアナログインタフェース（IF： InterFace)部120の該当するVoIP回線に極性反転の制御を施す（時刻t16）。アナログインタフェース部120は、該当するVoIP回線の極性を反転させる（時刻t18）。この状態は、図３の動作で明らかなように、反転解除が指示されるまで継続する。
【００３１】
交換機30は、極性反転を時刻t20に受ける。交換機30は、極性反転を受けることから着信中と判断してこのVoIP回線から発信しない。したがって、障害が検出されたこのVoIP回線は、閉塞状態になる。
【００３２】
次に障害監視部14は、障害監視と同時に障害復旧も行う。障害監視部14が障害の復旧を検出すると（時刻t22）、直ちに障害監視信号14aを呼制御部16に通知する（時刻t24）。呼制御部16では、障害があるVoIP回線の使用禁止に関して禁止解除の可否を判断する。この判断結果が禁止解除のとき、使用禁止にあるVoIP回線に対する解除制御信号16bを回線制御部12に出力する（時刻t26）。
【００３３】
回線制御部12が解除制御信号16bを受けると、回線制御部12は、内部のアナログインタフェース部120の該当するVoIP回線が極性反転中か否かに応じた制御を施す（時刻t28）。すなわち、極性反転中のとき、極性復極制御をアナログインタフェース部120に行う。
【００３４】
アナログインタフェース部120は、該当するVoIP回線の極性をさらに反転させることによって復極させる（時刻t30）。交換機30は、極性の復極を時刻t32に受ける。この一連の動作によって交換機30は、時刻t20から時刻t32までの間、閉塞期間22になる。
【００３５】
交換機30は、閉塞期間22に極性反転に続く呼出し信号を待つ状態で保持される。交換機30は、交換機30側から見ると着信途中にあると判断してこのVoIP回線から発信しない。結果的に、VoIP-GW装置10から障害が検出されたVoIP回線の閉塞を実現する。これにより、緊急時の予備回線であるPSTNに迂回させることができる。
【００３６】
次にVoIP-GW装置10の構成をそのままに、先の実施例の動作と一部変更しても同様に障害のあったVoIP回線を閉塞させることができる。以下にその動作手順を示す（図５を参照）。共通する動作手順には前述で使用した参照符号を用いて説明を省略する。まず、障害検出の検出を行う（ステップS10）。障害が未検出のとき障害検出に戻って繰り返す。障害検出のとき、障害の情報を通知する（ステップS12)。通知内容を検討してVoIP回線使用を禁止するか否かを判断する（ステップS14)。VoIP回線の使用をそのままにするとき（NO）、正常と判断して障害検出に戻る（ステップS10へ)。VoIP回線の使用を禁止するとき（YES)、サブルーチンSUB1の加入者回線処理（ダイヤルイン処理）に進む。
【００３７】
この加入者回線処理の終了後、極性反転中か否かの判断を行う（ステップS18)。極性反転中でない場合（NO)、正常動作中と判断して 障害検出に戻って監視制御を繰り返す。また、極性反転中にある場合（YES)、極性の復極を指示する（ステップS24)。すなわち、呼制御部16は、解除制御信号16bを回線制御部12に出力する。回線制御部12は、極性復極制御をアナログインタフェース部120に対して行う。アナログインタフェース部120は、この制御に応動して対象のVoIP回線の極性を復極させる（ステップS26)。この後、障害検出に戻って監視制御を繰り返す。
【００３８】
本実施例の特徴は、障害検出の監視を行って障害検出後、所定の加入者回線処理を行って着信と途中放棄を行い、交換機30にとって着信途中の状態にして発信を回避させ、障害復旧にも対応させる点にある。この加入者回線処理には、通常のダイヤルイン処理にない、障害復旧の判断処理を含んでいる。
【００３９】
次に加入者回線処理の動作手順について図６を参照しながら説明する。この処理の前提として上述したようにVoIP回線の使用禁止を受けて呼制御部16は、禁止制御信号16aを回線制御部12に出力する（サブステップSS10）。回線制御部12ではアナログインタフェース部120から極性反転出力させるように制御する（サブステップSS12）。これにより、障害発生したVoIP回線に対して極性反転する。次に呼制御部16は、呼出し信号の送出指示を回線制御部12に出力する（サブステップSS14）。回線制御部12は、アナログインタフェース部120を介して呼出し信号を交換機30に出力するように制御する（サブステップSS16）。
【００４０】
次に交換機30が呼出し信号に応じて一次応答をVoIP−GW装置10に送出する（サブステップSS18）。VoIP-GW装置10のアナログインタフェース部120では、一次応答を検出して回線制御部12に通知する（サブステップSS20）。回線制御部12は、一次応答の検出にともない呼出し信号の出力を停止する（サブステップSS22）。回線制御部12は、呼制御部16に一次応答の検出を通知する（サブステップSS24）。そして、これ以降、呼制御部16は、一定時間待機させる（待機処理：サブステップSS26）。
【００４１】
次に呼制御部16では、VoIP回線の使用可否を判断する（サブステップSS28）。判断結果が解除を示す、すなわち回線使用を許可するとき（YES)、解除制御信号16bを回線制御部12に出力する。また、解除しないとき、呼出し信号の送出指示に処理を戻す（サブステップSS14へ：途中放棄）。これは、すでに極性反転しているから、この極性反転状態を継続させるためである。回線使用許可の後、リターンに移行してサブルーチンSUB1を終了する。
【００４２】
この動作手順を図７の制御シーケンスで説明する。ここで、構成要素および時刻が図４と共通する場合、同じ参照符号を付して説明を省略する。本実施例でも障害監視部14を用いているが保守部18を用いて障害検出してもよい。障害検出すると（時刻t10）、障害監視信号14aを呼制御部16に通知する（時刻t12)。
【００４３】
呼制御部16では、VoIP回線20a, 20b, 20c, ・・・, 20nにおける使用の可否を判断する。通知内容を検討した判断結果がVoIP回線の使用を禁止するとき、前述したサブルーチンSUB1の加入者回線処理に進む。すなわち、VoIP回線の使用禁止を受けて呼制御部16は、禁止制御信号16aを回線制御部12に出力する（時刻t14）。禁止制御信号16aを受けて、回線制御部12ではアナログインタフェース部120により障害に該当するVoIP回線の極性反転を制御する（時刻t16）。これにより、障害発生したVoIP回線の極性が反転する（時刻t18）。
【００４４】
この極性反転の後、呼制御部16は、呼出し信号の送出指示を回線制御部12に出力する（時刻t40）。回線制御部12は、呼出し信号を交換機30に出力するように制御信号を出力する（時刻t42）。アナログインタフェース部120は、VoIP回線を介して交換機30に呼出し信号を送出する（時刻t44）。交換機30は、呼出し信号を着信することにより（時刻t46）、呼出し信号が供給されるVoIP回線から発信しない。このVoIP回線は、閉塞状態になる。
【００４５】
次に交換機30が供給される呼出し信号に応じて一次応答（直流ループ）をVoIP−GW装置10に送出する（時刻t48）。VoIP-GW装置10は、アナログインタフェース部120で一次応答を検出して回線制御部12に通知する（時刻t50）。回線制御部12は、一次応答の検出にともない呼出し信号の出力を停止する（時刻t52）。そして、回線制御部12は、呼制御部16に一次応答の検出を通知する（時刻t54)。呼制御部16は、一次応答検出通知された時刻t56以降、一定時間の待機が行われる。
【００４６】
この待機後、障害発生していたVoIP回線に対する使用禁止の解除の可否を判断する。この判断は、待機期間中に行ってもよい。
【００４７】
呼制御部16は、VoIP回線の使用可否を判断し、判断結果が解除のとき、解除制御信号16bを回線制御部12に出力する（時刻t26）。ただし、解除しない場合、破線で示すように時刻t40の処理に戻す。これは、極性反転を継続させて呼出し信号の送出指示から前述した処理を繰り返すためである。
【００４８】
回線制御部12が解除制御信号16bを受けると、回線制御部12は、内部のアナログインタフェース部120の該当するVoIP回線が極性反転中か否かに応じた制御を施す（時刻t28）。すなわち、極性反転中のとき、極性復極制御をアナログインタフェース部120に行う。
【００４９】
アナログインタフェース部120は、該当するVoIP回線の極性をさらに反転させることによって復極させる（時刻t30）。交換機30は、回線制御部12の制御に応じて障害対象であったVoIP回線の信号レベルを復極する（時刻t32）。図７の時刻t14から時刻t26までの処理が加入者回線処理（SUB1）であり、この処理の中で時刻t40から時刻t26までの処理が繰返し処理に対応している。
【００５０】
このように動作を繰り返すことにより、交換機30はダイヤルインによる着信と途中放棄を繰り返すことになる。これは、交換機30側から見ると着信の途中であるので、交換機30は、このシーケンスにあるVoIP回線を用いて発信することがない。したがって、VoIP-GW装置10は、交換機30と接続する回線を時刻t46から時刻t32までの期間（閉塞期間22）にわたって閉塞することができる。このようにして交換機30は、回線閉塞により障害発生を間接的に知ることができ、緊急時予備回線であるPSTNの回線に迂回させることができる。
【００５１】
以上のように構成することにより、障害検出の監視を行って障害検出後、使用禁止するVoIP回線の極性を反転することにより、VoIP回線を介して接続する相手装置側を着信待機状態にして、障害が発生したVoIP回線からの発信を閉塞状態にして規制することができる。この規制を受けて、相手側装置は、回線を予備回線に切り換えて迂回させることができるので、障害が生じても音声サービスを提供することができる。
【００５２】
また、障害検出の監視を行って障害検出後、使用禁止するVoIP回線に対してダイヤルイン着信の途中放棄を繰り返すことにより、VoIP回線を介して接続する相手装置側を着信待機状態にして、障害が発生したVoIP回線からの発信を閉塞状態にして規制し、相手側装置は、回線を予備回線に切り換えて迂回させることができるので、障害が生じても音声サービスを提供することができる。
【００５３】
なお、前述したVoIP−GW装置10は、より具体的に、データ通信用のVoFR（Voice over Frame Relay)に適用することができる。
【００５４】
【発明の効果】
このように本発明のゲートウェイ装置によれば、障害監視手段での監視結果を呼制御手段で受けて、呼制御手段でこの監視結果に応じてアナログ通信回線の使用禁止や禁止解除を回線制御手段に対して指示制御し、回線制御手段がアナログ通信回線の極性反転や復極を行い、特に、極性反転はアナログ通信回線を介して接続する相手装置側を着信待機状態にして、障害が発生したアナログ通信回線からの発信を閉塞状態にして規制することにより、相手側装置は、回線を予備回線に切り換えて迂回させることができるので、障害が生じても音声サービスを提供することができる。
【００５５】
また、本発明のゲートウェイ装置の障害制御方法によれば、障害検出した際に障害通知を受けて使用禁止の判断を行い、使用禁止に応動して極性の反転指示信号をアナログ通信回線に送出し、アナログ通信回線の端末装置側に着信があると判断させて、該当するアナログ回線を閉塞させて回線異常に対応し、障害復旧を検出した際に、禁止解除の判断を行い、異常を間接的に使用する側に通知して障害が発生しても音声サービスの提供を続けることができる。また、禁止解除に応動して復極指示信号を出力することにより、通常の回線による通信にも復帰することができる。
【００５６】
さらに、本発明のゲートウェイ装置の障害制御方法は、障害検出した際に障害通知を受けて使用禁止の判断を行い、使用禁止に応動して極性の反転指示信号をアナログ通信回線に送出し、アナログ通信回線の端末装置側に着信があると判断させて、該当するアナログ回線を閉塞させて回線異常に対応することにより、異常を間接的に使用する側に通知することができ、障害が発生しても音声サービスの提供を続けることができる。
【図面の簡単な説明】
【図１】本発明のゲートウェイ装置を適用したVoIP-GW装置の概略的なブロック構成とVoIP-GW装置を適用したシステムの接続関係を説明する図である。
【図２】図１の呼制御部の概略的な構成を説明する機能ブロック図である。
【図３】図１のVoIP-GW装置における監視制御の動作手順を説明するフローチャートである。
【図４】図１のV0IP-GW装置と交換機間で行う制御のシーケンスチャートである。
【図５】図１のVoIP-GW装置における監視制御にダイヤルインの処理を含めた動作手順を説明するフローチャートである。
【図６】図５に示した加入者回線処理の動作手順を説明するフローチャートである。
【図７】図１のV0IP-GW装置と交換機との制御にダイヤルインの処理を含めた制御シーケンスチャートである。
【符号の説明】
10  VoIP-GW装置
12  回線制御部
14  障害監視部
16  呼制御部
18  保守部
20a, 20b, 20c, ・・・, 20n VoIP回線
30  交換機
100 IPネットワーク
120 アナログインタフェース部
【図１】
0003934464.tif 000002
【図２】
0003934464.tif 000003
【図３】
0003934464.tif 000004
【図４】
0003934464.tif 000005
【図５】
0003934464.tif 000006
【図６】
0003934464.tif 000007
【図７】
0003934464.tif 000008